(57)【要約】【課題】コンテンツの利用状況を把握する。【解決手段】ダウンロードしたコンテンツデータ１８の再生を指示すると、現在地を通知してコンテンツデータ１８を再生するか否かが確認される。再生する旨の選択を行うと、携帯電話機１６の現在地が測位され、得られた現在地情報がコンテンツ配信サーバ１２に送信される。これを受けて、コンテンツ配信サーバ１２がコンテンツデータ１８の再生を許可して、携帯電話機１６に再生許可信号を送信する。また、再生が許可されたコンテンツデータ１８の種類と、送信された現在地情報とに基づいてコンテンツ利用情報６８が生成されて収集部６６に記憶される。携帯電話機１６が、再生許可を受信すると、コンテンツデータ１８が再生される。【選択図】図８
2007249400.tif 000002
【特許請求の範囲】
【請求項１】
複数の端末装置と、これらの端末装置と通信ネットワークを介してデータ通信可能に接続され、前記各端末装置からの配信要求を受け取って前記各端末装置に対してコンテンツデータを配信するコンテンツ配信装置とからなるコンテンツ配信システムにおいて、
前記コンテンツ配信装置は、前記配信要求の受け取り後に、前記端末装置から通知されこの端末装置の現在地を表す端末位置情報と引き替えに、前記コンテンツデータの再生を許可する再生許可部と、
前記端末位置情報を前記コンテンツデータに関連づけて収集する端末位置情報収集部とを備えたことを特徴とするコンテンツ配信システム。
【請求項２】
前記再生許可部は、前記再生を許可する場合、前記端末装置に対して再生許可通知を与えることを特徴とする請求項１記載のコンテンツ配信システム。
【請求項３】
前記コンテンツデータは、前記端末位置情報の通知の有無に関わらず、再生が禁止された再生禁止状態で要求元の前記端末装置に対して配信が開始されるとともに、
前記端末装置は、前記再生許可通知を受信して前記再生禁止状態を解除することを特徴とする請求項２記載のコンテンツ配信システム。
【請求項４】
前記コンテンツ配信装置は、前記端末位置情報の通知先アドレスを、前記コンテンツデータの付帯情報として前記端末装置に送信することを特徴とする請求項３記載のコンテンツ配信システム。
【請求項５】
前記再生許可部は、有効期間を設定して、前記コンテンツデータの再生を許可することを特徴とする請求項１〜４いずれか記載のコンテンツ配信システム。
【請求項６】
前記有効期間は、前記コンテンツデータの付帯情報として送信されることを特徴とする請求項５記載のコンテンツ配信システム。
【請求項７】
前記再生許可部は、前記端末位置情報の通知が有った場合に、さらに、前記端末位置情報に基づいて前記端末装置が予め設定され所定の範囲にあるか否かを調べて、前記端末装置が前記所定の範囲にある場合に前記再生を許可することを特徴とする請求項１〜６いずれか記載のコンテンツ配信システム。
【請求項８】
前記端末装置は、前記コンテンツ配信装置に対して前記端末位置情報を通知するか否かを選択する選択手段を備えていることを特徴とする請求項１〜７いずれか記載のコンテンツ配信システム。
【請求項９】
複数の端末装置と通信ネットワークを介してデータ通信可能に接続され、前記各端末装置からの配信要求を受け取って前記各端末装置に対してコンテンツデータを配信するコンテンツ配信装置において、
前記配信要求の受け取り後に、前記端末装置から通知されるこの端末装置の現在地を表す端末位置情報と引き替えに、前記コンテンツデータの再生を許可する再生許可部と、
前記端末位置情報を前記コンテンツデータに関連づけて収集する端末位置情報収集部とを備えたことを特徴とするコンテンツ配信装置。
【請求項１０】
複数の端末装置と通信ネットワークを介してデータ通信可能に接続されたコンテンツ配信装置が、前記各端末装置からの配信要求を受け取って前記各端末装置に対してコンテンツデータを配信するコンテンツ配信方法において、
前記コンテンツ配信装置が、前記配信要求の受け取り後に、前記端末装置から通知されるこの端末装置の現在地を表す端末位置情報と引き替えに、前記コンテンツデータの再生を許可する再生許可ステップと、
前記端末位置情報を前記コンテンツデータに関連づけて収集する端末位置情報収集ステップとを備えていることを特徴とするコンテンツ配信方法。
【発明の詳細な説明】
【技術分野】
【０００１】
本発明は、映像や音楽などのコンテンツデータを配信するコンテンツ配信システム、コンテンツ配信装置、コンテンツ配信方法に関するものである。
【背景技術】
【０００２】
インターネットの普及に伴い、インターネットを介して音楽や映像などのコンテンツデータを配信するコンテンツ配信システムが広く普及している。このシステムのユーザーは、携帯電話機やパーソナルコンピュータなどの端末装置を用いてコンテンツ配信サーバへアクセスしてコンテンツデータをダウンロードし、ダウンロードしたコンテンツデータを再生する。
【０００３】
こうしたコンテンツ配信システムには、コンテンツデータの不正な流出を防止する観点から、その利用形態に応じて、コンテンツデータを保護する様々な技術が開発されている。特許文献１に記載のコンテンツ配信システムでは、コンテンツデータをダウンロードできるエリアを制限することで、所定のエリア外にある端末装置がコンテンツデータをダウンロードできないようにしている。
【０００４】
このコンテンツ配信システムは、端末装置に対して暗号化したコンテンツデータを配信するとともに、端末装置からその現在地を表す位置情報を送信させて、その位置情報に基づいて前記コンテンツデータを複合化する複合化キーを生成する。コンテンツデータは、所定の範囲外の位置情報から生成された複合化キーでは、複合化できないようになっており、これにより、コンテンツデータを利用できる場所を制限することができる。
【特許文献１】特開２００５−２０４００号公報
【発明の開示】
【発明が解決しようとする課題】
【０００５】
ところで、こうした端末装置から送信される位置情報は、コンテンツデータの利用状況、すなわち、どのようなコンテンツデータがどういった地域で利用されかを把握する手がかりとなる情報であり、コンテンツデータの提供者にとっては、コンテンツデータのマーケティング等をするための有用な基礎データとなり得る。そのため、コンテンツ配信システムの開発現場では、このようなコンテンツデータの利用状況を簡単に把握するための技術が求められていた。
【０００６】
本発明は、上記問題を解決するためになされたものであり、コンテンツデータの利用状況を簡単に把握することができるコンテンツ配信システム、コンテンツ配信装置、コンテンツ配信方法を提供することを目的としている。
【課題を解決するための手段】
【０００７】
上記目的を達成するために、本発明のコンテンツ配信システムは、複数の端末装置と、これらの端末装置と通信ネットワークを介してデータ通信可能に接続され、前記各端末装置からの配信要求を受け取って前記各端末装置に対してコンテンツデータを配信するコンテンツ配信装置とからなるコンテンツ配信システムにおいて、前記コンテンツ配信装置は、前記配信要求の受け取り後に、前記端末装置から通知されこの端末装置の現在地を表す端末位置情報と引き替えに、前記コンテンツデータの再生を許可する再生許可部と、前記端末位置情報を前記コンテンツデータに関連づけて収集する端末位置情報収集部とを備えたことを特徴としている。
【０００８】
前記再生許可部は、前記再生を許可する場合、前記端末装置に対して再生許可通知を与えるものでもよい。
【０００９】
また、前記コンテンツデータは、前記端末位置情報の通知の有無に関わらず、再生が禁止された再生禁止状態で要求元の前記端末装置に対して配信が開始されるとともに、前記端末装置は、前記再生許可通知を受信して前記再生禁止状態を解除するものでもよい。
【００１０】
さらに、前記コンテンツ配信装置は、前記端末位置情報の通知先アドレスを、前記コンテンツデータの付帯情報として前記端末装置に送信するものでもよい。
【００１１】
また、前記再生許可部は、有効期間を設定して、前記コンテンツデータの再生を許可するものでもよい。
【００１２】
さらに、前記有効期間は、前記コンテンツデータの付帯情報として送信されるものでもよい。
【００１３】
また、前記再生許可部は、前記端末位置情報の通知が有った場合に、さらに、前記端末位置情報に基づいて前記端末装置が予め設定され所定の範囲にあるか否かを調べて、前記端末装置が前記所定の範囲にある場合に前記再生を許可するものでもよい。
【００１４】
さらに、前記端末装置は、前記コンテンツ配信装置に対して前記端末位置情報を通知するか否かを選択する選択手段を備えているものでもよい。
【００１５】
また、本発明のコンテンツ配信装置は、複数の端末装置と通信ネットワークを介してデータ通信可能に接続され、前記各端末装置からの配信要求を受け取って前記各端末装置に対してコンテンツデータを配信するコンテンツ配信装置において、前記配信要求の受け取り後に、前記端末装置から通知されるこの端末装置の現在地を表す端末位置情報と引き替えに、前記コンテンツデータの再生を許可する再生許可部と、前記端末位置情報を前記コンテンツデータに関連づけて収集する端末位置情報収集部とを備えたことを特徴としている。
【００１６】
さらに、本発明のコンテンツ配信方法は、複数の端末装置と通信ネットワークを介してデータ通信可能に接続されたコンテンツ配信装置が、前記各端末装置からの配信要求を受け取って前記各端末装置に対してコンテンツデータを配信するコンテンツ配信方法において、前記コンテンツ配信装置が、前記配信要求の受け取り後に、前記端末装置から通知されるこの端末装置の現在地を表す端末位置情報と引き替えに、前記コンテンツデータの再生を許可する再生許可ステップと、前記端末位置情報を前記コンテンツデータに関連づけて収集する端末位置情報収集ステップとを備えていることを特徴としている。
【発明の効果】
【００１７】
本発明によれば、端末装置の現在地を表す端末位置情報と引き替えにコンテンツデータを再生できるようにするとともに、取得した端末位置情報をコンテンツデータに関連づけて収集するようにしたので、コンテンツデータの利用状況を簡単に把握することができる。
【発明を実施するための最良の形態】
【００１８】
図１において、本発明を実施したコンテンツ配信システム１０は、コンテンツ配信サーバ１２と、このコンテンツ配信サーバ１２とインターネットなど周知の通信ネットワーク１４を介して接続される携帯電話機１６とから構成される。
【００１９】
コンテンツ配信サーバ１２は、携帯電話機１６からの配信要求に応じて、音楽データ、映像データなどのコンテンツデータ１８（図２、図３、図６参照）を携帯電話機１６に対して配信する。コンテンツ配信サーバ１２は、再生が禁止された禁止状態でコンテンツデータ１８の配信を行い、携帯電話機１６の現在地を表す現在地情報と引き替えに、配信したコンテンツデータ１８の再生を許可する。携帯電話機１６は、ＧＰＳ衛星１９からの電波に基づいて現在地情報を取得するＧＰＳ機能を備えており、コンテンツ配信サーバ１２から配信されたコンテンツデータ１８を再生する際には、このＧＰＳ機能によって取得した現在地情報をコンテンツ配信サーバ１２に送信する。
【００２０】
携帯電話機１６は、液晶ディスプレイ（ＬＣＤ）２０、操作部２２、マイク２４、スピーカ２６を備えている。ＬＣＤ２０は、各種入力を行うための入力画面など各種画面の表示、並びに、コンテンツデータ１８に含まれる映像データの再生に用いられる。操作部２２には、カーソルキー、決定ボタン、テンキーなど各種操作部材が設けられ、各種指示の入力に用いられる。マイク２４は、通話音声を入力するために用いられる。また、スピーカ２６は、通話音声やコンテンツデータ１８に含まれる音声データの再生に用いられる。
【００２１】
図２において、携帯電話機１６の内部には、制御部２８が設けられ、携帯電話機１６の各部に接続されている。制御部２８は、操作部２２から入力される操作信号に基づいて接続された各部を駆動制御する。測位部３０は、複数のＧＰＳ衛星１９からの電波をＧＰＳアンテナ３２により受信し、各ＧＰＳ衛星１９からの電波到達時間に基づいて、携帯電話機１６の現在地（緯度、経度）を測位して、測位した現在地を表す現在地情報を取得する。
【００２２】
通信部３４は、通信ネットワーク１４に接続され、携帯電話機１６がコンテンツ配信サーバ１２との間で行う各種情報の送受信を制御する。記憶部３６には、携帯電話機１６を駆動制御するために必要な制御プログラムや各種設定情報に加え、コンテンツ配信サーバ１２から配信されたコンテンツデータ１８、並びに、動画再生ソフト、画像表示ソフト、音声再生ソフトなど、各種のコンテンツデータ１８を再生する再生ソフト３８が記憶されている。
【００２３】
図３に示すように、コンテンツデータ１８は、本体データ４０とメタデータ４２とから構成される。本体データ４０は、携帯電話機１６によって再生される音楽データや映像データなどであり、メタデータ４２は、本体データ４０に関する付帯情報である。メタデータ４２には、コンテンツＩＤや、コンテンツ名、アーティスト名、著作権保持者名、並びに、通知先アドレスが含まれている。通知先アドレスは、携帯電話機１６の現在地情報を通知する通知先のアドレスであり、コンテンツ配信サーバ１２は、コンテンツデータを配信するに当たって、その通知先アドレスをコンテンツデータ１８に埋め込んで携帯電話機１６に送信する。こうしたメタデータ４２は、改竄を防止するために、例えば、暗号化されたバイナリ形式で記録されている。
【００２４】
再生ソフト３８は、コンテンツデータ１８の再生指示が入力されることで起動し、コンテンツデータ１８を再生する。上述したとおり、コンテンツデータ１８は、再生禁止状態で送信されているので、ダウンロードが完了しても、現在地情報を通知しない間は、再生ソフト３８は、コンテンツデータ１８を再生することができない。
【００２５】
再生ソフト３８が駆動されると、図４に示す確認画面４６が携帯電話機１６のＬＣＤ２０に表示される。確認画面４６には、携帯電話機１６の現在地を問い合わせるメッセージ４７、並びに、ＹＥＳボタン４８と、ＮＯボタン５０とが表示される。ユーザーは、携帯電話機１６を操作し、ＹＥＳボタン４８もしくはＮＯボタン５０を選択することで、問い合わせに応じて現在地を通知してコンテンツデータ１８を再生するか否かを選択できる。
【００２６】
確認画面４６において、ＹＥＳボタン４８が選択されると、携帯電話機１６の測位部３０が現在地情報を取得し、得られた現在地情報が通信部３４を介してメタデータ４２に記録された通知先アドレスに送信され、現在地の通知が完了する。他方、確認画面４６において、ＮＯボタン５０が選択された場合には、現在地情報の取得や送信は行われない。このように、現在地情報を通知するか否かは、ユーザーが選択できるようになっている。
【００２７】
図５に示すように、通知先アドレスは、例えば、コンテンツ配信サーバ１２に記憶したＣＧＩプログラム６４（図６参照）を起動するためのＵＲＬの形式で記述される。ＣＧＩプログラム６４は、現在地情報を受信するためのプログラムである。図５の例では、「ｈｔｔｐ〜ｃｇｉ」の部分がＣＧＩプログラム６４の格納場所を示すアドレス情報であり、この部分までのデータが、コンテンツデータ１８に格納されて携帯電話機１６に送られる。
【００２８】
携帯電話機１６は、現在地情報を通知する際には、通知先アドレスの後ろに、ＧＰＳ機能を使用して取得した現在地情報を付加して、コンテンツ配信サーバ１２に送り返す。現在地情報は、測地系の標識と、緯度及び経度のデータからなる。測地系は、緯度及び経度を測定する基準位置の取り決めなどを定義したものであり、「ｄａｔｕｍ＝ＷＧＳ８４」は、測地系として、「ＷＧＳ８４（世界測地系）」を使用していることを示している。「ｌｏｎ」は、経度を表すパラメータであり、本例では、東経１３９．２５２９度であることを表している。また、「ｌａｔ」は緯度を表すパラメータであり、本例では、北緯３５．２４８２度であることを表している。
【００２９】
現在地の通知が完了すると、コンテンツ配信サーバ１２からコンテンツデータ１８の再生許可が与えられて、コンテンツデータ１８の再生禁止状態が解除され、再生ソフト３８でコンテンツデータ１８を再生することが可能になる。
【００３０】
なお、再生ソフト３８を起動している間は、いったん許可されたコンテンツデータ１８を何回でも再生することができる。しかし、再生ソフト３８を終了して、再起動した場合には、再度、現在地情報を通知しない限り、コンテンツデータ１８を再生することはできないようになっている。
【００３１】
図６において、コンテンツ配信サーバ１２の内部には、ＣＰＵ５２が設けられ、コンテンツ配信サーバ１２の各部に接続されている。ＣＰＵ５２は、システムメモリ５４に記憶された制御プログラムに基づいて、コンテンツ配信サーバ１２の各部を駆動制御する。通信部５６は、通信ネットワーク１４に接続され、コンテンツ配信サーバ１２が携帯電話機１６との間で行う各種情報の送受信を制御する。
【００３２】
データ格納部５８には、複数種類のコンテンツデータ１８が格納されている。配信部６０は、携帯電話機１６からの要求に基づいて、コンテンツデータ１８を携帯電話機１６に対して配信する。
【００３３】
再生許可部６２には、現在地情報を受信するＣＧＩプログラム６４が記憶されている。再生許可部６２は、携帯電話機１６から現在地情報が通知されると、その現在地情報と引き替えに、コンテンツデータ１８の再生許可信号を発行して、再生を許可する。現在地情報は、収集部６６に引き渡される。
【００３４】
収集部６６は、再生許可部６２から転送された現在地情報と、再生を許可したコンテンツデータ１８の種類とを関連付けて現在地情報を収集する。こうして収集した現在地情報を、コンテンツ利用情報６８として記憶する。
【００３５】
図７に示すように、コンテンツ利用情報６８は、例えば、縦軸にコンテンツの種類（Ｃ１〜Ｃｎ）を、横軸に現在地情報に対応する再生エリア（Ａ１〜Ａｎ）をとって、コンテンツが利用される利用頻度を、コンテンツの種類及び地域毎に表すテーブルデータである。このコンテンツ利用情報６８は、携帯電話機１６からのアクセスがある度に更新される。もちろん、このコンテンツ利用情報６８は、一例であり、コンテンツの種類や再生エリアをより細分化したり、アクセス時間を加えるなど、より詳細なコンテンツ利用情報６８を作成してもよい。
【００３６】
以下、上記構成による本発明の作用について、図８に示すフローチャートをもとに説明する。コンテンツ配信システム１０を利用する際、ユーザーは、自己の携帯電話機１６からコンテンツ配信サーバ１２にアクセスし、配信を希望するコンテンツデータ１８を選択して、このコンテンツデータ１８の配信要求をコンテンツ配信サーバ１２に送信する。
【００３７】
配信要求を受けると、コンテンツ配信サーバ１２が、配信要求されたコンテンツデータ１８を携帯電話機１６に対して配信する。コンテンツデータ１８は、再生が禁止された再生禁止状態で配信される。
【００３８】
携帯電話機１６を操作して、ダウンロードしたコンテンツデータ１８の再生指示を入力すると、再生ソフト３８が起動され、携帯電話機１６のＬＣＤ２０に確認画面４６が表示され、携帯電話機１６の現在地が問い合わせられる。ユーザーは、この問い合わせに応じて現在地の通知を行ってコンテンツデータ１８を再生するか否かを選択できる。そして、確認画面４６において、ＹＥＳボタン４８を選択すると、携帯電話機１６が現在地情報を取得し、得られた現在地情報をコンテンツ配信サーバ１２に送信する。
【００３９】
コンテンツ配信サーバ１２は、現在地情報を受信すると、コンテンツデータ１８の再生を許可し、再生許可部６２から携帯電話機１６に対して再生許可信号を送信する。これにより、再生指示されたコンテンツデータ１８の再生禁止状態が解除され、このコンテンツデータ１８が再生される。
【００４０】
また、コンテンツ配信サーバ１２が現在地情報を受信すると、収集部６６により、再生指示されたコンテンツデータ１８の種類と、このとき送信された現在地情報とに基づいてコンテンツ利用情報６８が生成される。コンテンツ利用情報６８を参照することで、何処でどのような種類のコンテンツが再生されているかといったコンテンツの利用状況を把握できる。
【００４１】
上記実施形態では、現在地を通知するか否かをユーザーに選択させる例で説明したが、こうした確認を行うことなく、コンテンツデータを再生する際には、現在地情報がコンテンツ配信サーバへ自動的に通知されるようにしてもよい。
【００４２】
また、上記実施形態では、再生ソフトをいったん終了すると、再生許可を受けたコンテンツデータを再び再生するためには、コンテンツ配信サーバに対して現在地情報を通知しなければならない。ユーザーにとってはこうした操作は煩わしいので、一度許可されたコンテンツデータについては、現在地情報を再通知しなくても再生が許容されるようにしてもよい。
【００４３】
この場合には、例えば、図９に示すように、再生許可を受けた場合には、携帯電話機１６の制御部２８が、コンテンツデータ１８のメタデータ１００に通知履歴の有無を書き込むようにしておく。そして、図１０のフローチャートに示すように、再生ソフトが起動された場合には、制御部２８がこの通知履歴の有無を調べて、通知履歴が有る場合には、再生が許容される。通知履歴が無い場合には、上述した手順で現在地情報を再通知して、再度、再生許可通知を受ける。
【００４４】
なお、この例では、携帯電話機１６が通知履歴の記録と、通知履歴の判定とを行うようにしているが、通知履歴の記録と判定とをコンテンツ配信サーバ１２で行うようにしてもよい。この場合には、コンテンツ配信サーバ１２が、携帯電話機１６のＩＤと、そのＩＤ毎の再生履歴情報とを記憶する。そして、再生ソフト３８が起動される度に、携帯電話機１６と通信を行い、現在地情報の再通知の要否の問い合わせを受ける。
【００４５】
また、再通知をすることなく繰り返し再生することができる有効期間を定めて、再生を許可するようにしてもよい。この場合には、図１１に示すように、コンテンツ配信サーバ１２は、コンテンツデータ１８のメタデータ１１０に有効期限データを格納して携帯電話機１６に配信する。そして、図１２のフローチャートに示すように、携帯電話機１６の制御部２８は、再生ソフト３８が起動されたときに、通知履歴と、その有効期限を調べる。そして、通知履歴が有効な場合には、現在地情報を再通知することなく、コンテンツデータ１８の再生が許容される。有効期限を過ぎた無効な通知履歴である場合には、再生が禁止される。このように、コンテンツ配信サーバ１２は、有効期限付きのコンテンツデータ１８を配信することで、携帯電話機１６に対して期限付きの再生許可を与えることができる。
【００４６】
また、再生を許可する再生可能範囲を定めて、携帯電話機がその再生可能範囲にある場合にのみ再生できるようにしてもよい。この場合には、図１３に示すように、コンテンツ配信サーバ１２は、コンテンツデータ１８のメタデータ１２０に、再生許可範囲を示す再生許可範囲情報を格納して携帯電話機に配信する。再生許可範囲情報は、再生を許可する領域を画定するための頂点座標の集合であり、各頂点座標は、緯度及び経度で表される。この再生許可情報は、例えば、「ａｌｌｏｗ＝（ｘ１，ｙ１），（ｘ２，ｙ２）・・・・」の形式で表される。ｘ、ｙは、それぞれ緯度及び経度に対応している。この再生許可範囲情報は、コンテンツデータ１８の種類毎に決めてもよいし、コンテンツデータ１８の種類に関わらず一律に決めてもよい。携帯電話機１６は、図１４に示すように、現在地情報とともに、この再生許可範囲情報を通知先アドレスに付加して、コンテンツ配信サーバへ通知する。
【００４７】
図１５のフローチャートに示すように、コンテンツ配信サーバ１２の再生許可部６２は、通知された情報に基づいて、現在地が再生許可範囲に含まれているかどうかを判定して、再生許可範囲に含まれている場合には、その携帯電話機１６に再生許可通知を送って再生を許可し、再生許可範囲に含まれていない場合には、再生を許可しない。
【００４８】
また、上記実施形態では、コンテンツ配信サーバが、携帯電話機からの配信要求を受けたときに、コンテンツデータの配信を開始して、その後に、携帯電話機１６からの現在地情報の通知を受けて、再生を許可する例で説明したが、図１６のフローチャートに示すように、携帯電話機１３０からの現在地情報の通知を待って、コンテンツ配信サーバ１４０がコンテンツデータ１８を配信するようにしてもよい。この場合には、通知先アドレスをコンテンツデータ１８のメタデータ４２に格納して送ることはできないので、コンテンツデータ１８とは別に、通知先アドレスを通知することが必要になる。
【００４９】
また、コンテンツデータの配信方法としては、コンテンツデータの再生が開始されるまでに全編のデータを一括してダウンロードしてもよいし、再生とデータのダウンロードを並行して行う、いわゆるストリーミング再生に対応できるように、全編のデータを分割してダウンロードするようにしてもよい。
【００５０】
また、上記実施形態では、端末装置として、携帯電話機を用いる例で説明したが、端末装置としては、携帯電話機の他に、パーソナルコンピュータ、ＰＤＡ（Ｐｅｒｓｏｎａｌ  Ｄｉｇｉｔａｌ  Ａｓｓｉｓｔａｎｔｓ）など各種のものがあり、それらのいずれにも本発明を適用することができる。
【００５１】
さらに、上記実施形態では、ＧＰＳにより現在地を測位して通知する例で説明をしたが、ＧＰＳによらず、例えば、ユーザーが手動で、都道府県、市区町村などの地名を入力して現在地を通知してもよい。また、携帯電話機では基地局からの情報に基づいて現在地を検知でき、モバイル型のパソコンなどでは、通信ネットワークへのアクセスポイントから現在地を検知することもできるので、このような方法で現在地を検知して通知してもよい。
【００５２】
また、上記実施形態では、再生されたコンテンツデータの種類と現在地情報とをコンテンツ利用情報として記録する例で説明をしたが、本発明はこれに限定されるものではない。例えば、ユーザーを識別するためのユーザーＩＤを設定し、現在地の通知の際にユーザーＩＤを通知したり、現在地の通知の際にコンテンツデータの再生指示が入力された時間を通知し、これらユーザーＩＤや再生指示された時間をコンテンツ利用情報として記録するといったことも考えられる。このようにすれば、コンテンツの利用状況をより詳しく知ることができる。
【図面の簡単な説明】
【００５３】
【図１】コンテンツ配信システムの構成図である。
【図２】携帯電話機の構成図である。
【図３】コンテンツの構成を表す説明図である。
【図４】確認画面を表す説明図である。
【図５】現在地情報の通知形態を表す説明図である。
【図６】コンテンツ配信サーバの構成図である。
【図７】コンテンツ利用情報を表す説明図である。
【図８】コンテンツを再生する手順を表すフローチャートである。
【図９】メタデータの構成を表す説明図である。
【図１０】コンテンツを再生する手順を表すフローチャートである。
【図１１】メタデータの構成を表す説明図である。
【図１２】コンテンツを再生する手順を表すフローチャートである。
【図１３】メタデータの構成を表す説明図である。
【図１４】現在地情報の通知形態を表す説明図である。
【図１５】コンテンツの再生が許可される手順を表すフローチャートである。
【図１６】コンテンツを再生する手順を表すフローチャートである。
【符号の説明】
【００５４】
１０  コンテンツ配信システム
１２、１４０  コンテンツ配信サーバ
１４  通信ネットワーク
１６、１３０  携帯電話機
１８  コンテンツデータ
２８  制御部
３０  測位部
３４、５６  通信部
３６  記憶部
４０  本体データ
４２、１００、１１０、１２０  メタデータ
４４  再生ソフト
５２  ＣＰＵ
５８  データ格納部
６０  配信部
６２  再生許可部
６６  収集部
６８  コンテンツ利用情報
【図１】
2007249400.tif 000003
【図２】
2007249400.tif 000004
【図３】
2007249400.tif 000005
【図４】
2007249400.tif 000006
【図５】
2007249400.tif 000007
【図６】
2007249400.tif 000008
【図７】
2007249400.tif 000009
【図８】
2007249400.tif 000010
【図９】
2007249400.tif 000011
【図１０】
2007249400.tif 000012
【図１１】
2007249400.tif 000013
【図１２】
2007249400.tif 000014
【図１３】
2007249400.tif 000015
【図１４】
2007249400.tif 000016
【図１５】
2007249400.tif 000017
【図１６】
2007249400.tif 000018